(57)【特許請求の範囲】
【請求項１】
閉鎖可能な充填連結パイプ（９）と取出し付属品（１３）を接続する流出連結パイプ（１２）とを備える合成樹脂製の内部容器（２）と、金属格子或いは薄板から成る外套（１４）とスキッドパレット（１８）として形成された台座（１７）とを備えて、その台座がリフトトラック、棚操作装置或いはそのような輸送装置によって操作するように整合されていて、中心スキッド（２５）と二つの外部スキッド（２６、２７）の支持足上に載置して内部容器（２）を支持する床を備えていて、輸送兼貯蔵容器（１）の合成パレットとして形成されたスキッドパレット（１８）が木製台板（２１−２４）から形成された平床（２０）並びにそれぞれに前支持足、中心支持足と後支持足（２８、２９、３０）を備える合成樹脂製の一つの中心スキッド（２５）と二つの外部スキッド（２６、２７）を有し、液体用の輸送兼貯蔵容器（１）において、内部容器（２）の下床（７）が中心排水溝（１９）を有し、その排水溝が容器後壁（４）から容器（２）の前壁（３）に配置されて取出し付属品（１３）を接続する流出連結パイプ（１２）まで緩やかな勾配により延びており、スキッドパレット（１８）の平床（２０）は中心スキッド（２５）の上に中心スキッド（２５）の全長に渡って内部容器（２）の下床（７）の排水溝（１９）を受ける中心縦開口（３３）を有し、平床（２０）が横台板と縦台板（２１−２３；２４）から構成されて、横台板（２１−２３）が縦台板（２４）の下面（２４ａ）に配置されていて、一つの後横台板（２１）がその両端部分（２１ａ、２１ｂ）により両外部スキッド（２６、２７）の後支持足（３０）の上面（３０ａ）の窪み（３１）に、その中心部分（２１ｃ）により中心スキッド（２５）の後支持足（３０）の上面（３０ａ）の窪み（３１）に嵌め込められていて、二つの前横台板（２２、２２）がその両端部分（２２ａ、２２ｂ）によりそれぞれの一つの外部スキッド（２６、２７）の前支持足（２８）の上面（２８ａ）における窪み（３１）や中心スキッド（２５）の前支持足（２８）の上面（２８ａ）における窪み（３２）に嵌め込められていることを特徴とする輸送兼貯蔵容器。
【請求項２】
一つの中心横台板（２３）がその両端部分（２３ａ、２３ｂ）により両外部スキッド（２６、２７）の中心支持足（２９）上に、その中心部分（２３ｃ）により中心スキッド（２５）の中心支持足（２９）上に載置することを特徴とする請求項１に記載の容器。
【請求項３】
平床（２０）はスキッドパレット（１８）の中心スキッド（２５）の支持足（２８，２９，３０）と両外部スキッド（２６、２７）とにねじ止めされていることを特徴とする請求項１或いは２に記載の容器。
【請求項４】
格子外套（１４）の下フレーム（４０）はスキッドパレット（１８）の中心スキッド（２５）の前後支持足（２８、３０）と両外部スキッド（２６、２７）の三つの支持足（２８，２９，３０）とにねじ止めされていることを特徴とする請求項１乃至３のいずれか一項に記載の容器。
【発明の詳細な説明】
【技術分野】
【０００１】
この発明は、閉鎖可能な充填連結パイプと取り外し付属品を接続する空にする連結パイプとを備える合成樹脂製の内部容器と、金属格子或いは薄板から成る外套とスキッドパレットとして形成された台座とを備えて、その台座がリフトトラック、棚操作装置或いはそのような輸送装置によって操作するように整合されていて、中心スキッドと二つの外部スキッドの支持足上に載置して内部容器を支持する床を備えていて、その下床が中心排水溝を有し、その排水溝が容器後壁から容器の前壁に配置されて取出し付属品を接続する流出連結パイプまで緩やかな勾配により延びている液体用の輸送兼貯蔵容器に関する。
【背景技術】
【０００２】
ドイツ特許第１０１１０９２６号明細書（特許文献１）に記載されたこの種の液体用の輸送貯蔵容器はスキッドパレットとして形成された台座を備えていて、そのパレットが合成樹脂製の中心スキッドと二つの外部スキッドとスキッドの支持足上に載置する薄板床によって形成されていて、その床上に液体を収容する輸送容器の合成樹脂製の内部容器が立っている。
【０００３】
さらに、市場では液体用の輸送容器が提供されていて、薄板外套或いは格子外套により囲まれた内部容器を支持する木製パレットを備えている。
【０００４】
薄板床と合成樹脂スキッドから成るスキッドパレット並びに上昇する木材価格によって持続的に値段が上がる木製パレットの製造費用が比較的に高い。
【先行技術文献】
【特許文献】
【０００５】
【特許文献１】ドイツ特許第１０１１０９２６号明細書
【発明の概要】
【発明が解決しようとする課題】
【０００６】
この発明の課題は、台座の価格の安い製造を考慮して液体用の輸送貯蔵容器を更に発展させることである。
【課題を解決するための手段】
【０００７】
この課題は、この発明によると、特許請求項１の特徴事項を備える液体用の輸送兼貯蔵容器によって解決される。
【０００８】
従属請求項はこの発明の好ましく且つ目的に適った再現態様を維持する。
【０００９】
三つの合成樹脂スキッドと木台板製平床から成るこの発明による液体用輸送兼貯蔵容器の台座の合成パレットとして形成されたスキッドパレットは、この種の市場に提供された液体容器に比べて製造費用の減少を可能とする。
【図面の簡単な説明】
【００１０】
【図１】スキッドパレットとして形成された台座を備える液体用輸送兼貯蔵容器の斜視図を示す。
【図２】台座のスキッドパレットの平面図を示す。
【図３】スキッドパレットの側面図を示す。
【図４】スキッドパレットの前面図を示す。
【図５】図２の切断線Ｖ−Ｖによるスキッドパレットの縦断面図を示す。
【図６】図２の切断線ＶＩ−ＶＩによるスキッドパレットの縦断面図を示す。
【図７】図２の切断線ＶＩＩ−ＶＩＩによるスキッドパレットの横断面図を示す。
【図８】図２の切断線ＶＩＩＩ−ＶＩＩＩによるスキッドパレットの横断面図を示す。
【図９】格子外套なしの輸送兼貯蔵容器の中心縦断面図を示す。
【発明を実施するための形態】
【００１１】
この発明は、次に図面に基づいて説明される。
【実施例】
【００１２】
使い捨てやリサイクル容器として使用できる図１による輸送兼貯蔵容器１は、主構成部材として交換可能な矩形の合成樹脂製の内部容器２を有し、前壁３、後壁４と二つの側壁５、６、下床７と上床８、上床８に形成されてカバー１０により閉鎖可能な注入連結パイプ９と前壁３の下部分における彎曲部１１に形成された、或いは溶接された取出し付属品１３を接続する流出連結パイプ１２、さらに、内部容器２を受けるために交差する水平と垂直の金属製格子桟１５、１６を備える格子外套として形成された外套１４並びにユーロ基準正しい長さ寸法と幅寸法を備えるスキッドパレット１８として形成された台座１７を備えている。
【００１３】
内部容器２の下床７は中心の平らな排水溝１９を有し、この排水溝は容器後壁４から容器の前壁３に配置されて取出し付属品１３を接続する流出連結パイプ１２まで緩やかな勾配により延びている。
【００１４】
輸送容器１の合成パレットとして形成されたスキッドパレット１８は木製の横台板と縦台板２１−２４から構成されて内部容器２を支持する平床２０並びに合成樹脂製の中心スキッド２５と二つの外部スキッド２６、２７から成り、これらスキッドが平床２０を支持する前支持足２８、中心支持足２９と後支持足３０を備えていて、この平床がリフトトラック、棚操作装置或いはそのような輸送手段により下を移行できる。横台板２１−２３は平床２０の縦台板２４の下面２４ａに配置されている。
【００１５】
平床２０の後横台板２１がその両端部分２１ａ、２１ｂにより両外部スキッド２６、２７の後支持足３１の上面３０ａの窪み３１や中心スキッド２５の前支持足２８の上面２８ａの窪み３２に嵌め込められている（図８）。
【００１６】
平床２０の二つの前横台板２２がその両端部分２２ａ、２２ｂによりそれぞれの一つの外部スキッド２６、２７の前支持足２８の上面２８ａにおける窪み３１や中心スキッド２５の前支持足２８の上面２８ａにおける窪み３２に嵌め込められている（図４）。
【００１７】
平床２０の中心横台板２３がその両端部分２３ａ、２３ｂにより両外部スキッド２６、２７の中心支持足２９上に、その中心部分２３ｃにより中心スキッド２５の中心支持足２９上に載置する。
【００１８】
平床２０は中心スキッド２５の支持足２８−３０とスキッドパレット１８の両外部スキッド２６、２７とにねじ止めされている。
【００１９】
スキッドパレット１８の平床２０は中心スキッド２５を介して内部容器２の下床７の排水溝１９を受ける中心縦開口３３を有し、床３４、後壁３５と屈曲された上壁部分３８、３９を備える二つの側壁３６、３７によって平床２０の両前横台板２２の端部分２２ｂを挿入する窪み３２により形成される中心スキッド２５の容器状前支持足２８が取出し付属品１３のハウジングの下部分を受取る（図４と９）。
【００２０】
格子外套１４の下フレーム４０は中心スキッド２５の前後支持足２８、３０とスキッドパレット１８の両外部スキッド２６、２７の三つの支持足２８ー３０とにねじ止めされている。
【符号の説明】
【００２１】
１．．．．．輸送貯蔵容器
２．．．．．内部容器
３．．．．．内部容器の前壁
４．．．．．内部容器の後壁
５．．．．．内部容器の側壁
６．．．．．内部容器の側壁
７．．．．．内部容器の下床
８．．．．．内部容器の上床
９．．．．．上床の注入連結パイプ
１０．．．．注入連結パイプのカバー
１１．．．．前壁の彎曲部
１２．．．．彎曲部における流出連結パイプ
１３．．．．取出し付属品
１４．．．．外套
１５．．．．外套の水平格子桟
１６．．．．外套の垂直格子桟
１７．．．．台座
１８．．．．スキッドパレット
１９．．．．下床の排水溝
２０．．．．スキッドパレットの平床
２１．．．．平床の後横台板
２１ａ．．．後横台板の端部分
２１ｂ．．．後横台板の端部分
２１ｃ．．．後横台板の中心部分
２２．．．．平床の前横台板
２２ａ．．．前横台板の端部分
２２ｂ．．．前横台板の端部分
２３．．．．平床の中心横台板
２３ａ．．．中心横台板の端部分
２３ｂ．．．中心横台板の端部分
２３ｃ．．．中心横台板の中心端部分
２４．．．．平床の縦台板
２４ａ．．．縦台板の下面
２５．．．．スキッドパレットの中心スキッド
２６．．．．スキッドパレットの外部スキッド
２７．．．．スキッドパレットの外部スキッド
２８．．．．スキッド２５−２７の前支持足
２８ａ．．．前支持足の上面
２９．．．．スキッド２５−２７の中心支持足
３０．．．．スキッド２５−２７の後支持足
３０ａ．．．後支持足３０の上面
３１．．．．支持足の上面３０ａ、２８ａにおける窪み
３２．．．．中心スキッド２５における支持足２８の上面２８ａにおける窪み
３３．．．．排水溝用平床の縦開口
３４．．．．中心スキッド２５における支持足２８の床
３５．．．．中心スキッド２５における支持足２８の後壁
３６．．．．中心スキッド２５における支持足２８の側壁
３７．．．．中心スキッド２５における支持足２８の側壁
３８．．．．側壁の壁部分
３９．．．．側壁の壁部分
４０．．．．外套の下フレーム
【図１】
0005284825.tif 000002
【図２】
0005284825.tif 000003
【図３】
0005284825.tif 000004
【図４】
0005284825.tif 000005
【図５】
0005284825.tif 000006
【図６】
0005284825.tif 000007
【図７】
0005284825.tif 000008
【図８】
0005284825.tif 000009
【図９】
0005284825.tif 000010